(57)【要約】【課題】ユーザが商品情報の取得とクーポンの取得とを同時に行うことができるとともに、商品販売元の商品紹介者に対するアフィリエイト・フィーの供与も簡単かつ確実に行うことができるようにする。【解決手段】Ｂｌｏｇサイトのオーナーは、Ｂｌｏｇサイト画像５１で、商品（物品、コンテンツまたはサービス）を紹介し、それぞれの商品に対応づけてアイコン５２ａ，５２ｂおよび５２ｃを表示し、それぞれの商品に対応するクーポンデータを送信する。クーポンデータは、クーポン一次発行者（商品販売元）ＩＤおよびクーポン二次発行者（商品紹介者）ＩＤを含むものとする。ユーザがアイコンを選択すると、ユーザの電子マネー媒体にクーポンデータが書き込まれ、ユーザにクーポンが発行される。ユーザが当該クーポンを使用して商品を購入したときには、商品販売元は商品紹介者に対してアフィリエイト・フィーを供与する。【選択図】図５
2008146468.tif 000002
【特許請求の範囲】
【請求項１】
物品、コンテンツまたはサービスである商品を紹介する画像に対して、当該商品につき購入代金の割引を受けることができることを示すクーポンデータを付加して、コンテンツを配信することを特徴とするコンテンツ配信方法。
【請求項２】
請求項１のコンテンツ配信方法において、
上記クーポンデータは、商品販売元であるクーポン一次発行者、およびコンテンツ配信者であるクーポン二次発行者を特定し、当該クーポンデータが記録媒体に書き込まれることによってクーポンの発行を受けた者が、そのクーポンを使用して商品を購入したときには、上記クーポン一次発行者から上記クーポン二次発行者に対してアフィリエイト・フィーを供与することが約されたものであることを特徴とするコンテンツ配信方法。
【請求項３】
物品、コンテンツまたはサービスである商品を紹介する画像に対して、当該商品につき購入代金の割引を受けることができることを示すクーポンデータが付加されて配信されたコンテンツの受信再生時に、クーポン取得操作があったとき、上記クーポンデータを記録媒体に書き込むことによってクーポンを発行することを特徴とするクーポン発行方法。
【請求項４】
請求項３のクーポン発行方法において、
上記クーポンデータは、商品販売元であるクーポン一次発行者、およびコンテンツ配信者であるクーポン二次発行者を特定し、上記記録媒体にクーポンの発行を受けた者が、そのクーポンを使用して商品を購入したときには、上記クーポン一次発行者から上記クーポン二次発行者に対してアフィリエイト・フィーを供与することが約されたものであることを特徴とするクーポン発行方法。
【請求項５】
請求項３のクーポン発行方法において、
上記記録媒体は、データの書き込み読み出しによって電子マネーの書き込み読み出しが可能な電子マネー媒体であることを特徴とするクーポン発行方法。
【請求項６】
物品、コンテンツまたはサービスである商品を紹介する画像に対して、当該商品につき購入代金の割引を受けることができることを示すクーポンデータが付加されて配信されたコンテンツを受信再生する受信再生手段と、
この受信再生手段によるコンテンツ受信再生時に、クーポン取得操作があったとき、上記クーポンデータを記録媒体に書き込むことによってクーポンを発行する制御手段と、
を備えることを特徴とするコンテンツ受信再生装置。
【請求項７】
請求項６のコンテンツ受信再生装置において、
上記クーポンデータは、商品販売元であるクーポン一次発行者、およびコンテンツ配信者であるクーポン二次発行者を特定し、上記記録媒体にクーポンの発行を受けた者が、そのクーポンを使用して商品を購入したときには、上記クーポン一次発行者から上記クーポン二次発行者に対してアフィリエイト・フィーを供与することが約されたものであることを特徴とするコンテンツ受信再生装置。
【請求項８】
請求項６のコンテンツ受信再生装置において、
上記記録媒体は、データの書き込み読み出しによって電子マネーの書き込み読み出しが可能な電子マネー媒体であることを特徴とするコンテンツ受信再生装置。
【請求項９】
物品、コンテンツまたはサービスである商品の購入代金の割引を受けることができるクーポンを発行するために、コンピュータを、
商品を紹介する画像に対して、当該商品につき購入代金の割引を受けることができることを示すクーポンデータを付加して、コンテンツを配信する手段、
として機能させることを特徴とするクーポン発行用プログラム。
【請求項１０】
物品、コンテンツまたはサービスである商品の購入代金の割引を受けることができるクーポンを発行するために、コンピュータを、
商品を紹介する画像に対して、当該商品につき購入代金の割引を受けることができることを示すクーポンデータが付加されて配信されたコンテンツを受信再生する手段、および、
この受信再生手段によるコンテンツ受信再生時に、クーポン取得操作があったとき、上記クーポンデータを記録媒体に書き込むことによってクーポンを発行する制御手段、
として機能させることを特徴とするクーポン発行用プログラム。
【発明の詳細な説明】
【技術分野】
【０００１】
この発明は、Ｗｅｂページやオンデマンド映像などのコンテンツを配信する方法、割引クーポンを発行する方法、コンテンツを受信再生する装置、および割引クーポン発行用のコンピュータプログラムに関する。
【背景技術】
【０００２】
ネットワーク上で割引クーポンを発行することが考えられている。
【０００３】
具体的に、特許文献１（特開２００３−５８７６９号公報）には、利用者がＷｅｂサイトの案内を見て、利用者端末からＷＷＷサーバに電子クーポンの配信を要求することによって、ＷＷＷサーバから利用者端末に電子クーポンを配信し、利用者端末では、その電子クーポンを受信して記憶部に記録し、利用者が、その電子クーポンを利用して電子商取引を行う際には、利用者端末から提供元の端末に電子クーポンを添付した電子メールを送信することが示されている。
【０００４】
また、特許文献２（特開２００２−３３４２５４号公報）には、電子クーポン発行施設が、電子クーポンを発行するとともに、発行後の使用実績を管理し、ＷＷＷ上の仮想店舗が、電子クーポンを利用できる商品の情報をＷＷＷ上に展示するとともに、顧客からの電子クーポンの注文を受け付け、カード用の端末を備えた施設が、顧客の注文内容を送信するとともに、その送信後に送られてくる電子クーポンをＩＣカードに書き込むことによって電子クーポンの発行を完了させ、実際の店舗が、電子クーポンを使用した商品代金の清算と、使用済の電子クーポンの消し込みを行うことが示されている。
【０００５】
また、ユーザが商品を購入したとき、商品販売元が、当該ユーザに当該商品を紹介した者に対してアフィリエイト・フィー（ａｆｆｉｌｉａｔｅ  ｆｅｅ）を供与することが考えられている。
【０００６】
例えば、特許文献３（特開２００６−３０１９１１号公報）には、ネットワーク上で、あるユーザが他のユーザに、音楽などのコンテンツの購入に必要な情報を示して、試視聴用データを送信し、他のユーザが、そのコンテンツを購入したときには、コンテンツ販売元から紹介者となったユーザに、アフィリエイト・フィーを供与することが示されている。
【０００７】
一方、電子的なデータによって所有金額を示したものとして、Ｅｄｙ（登録商標）などの電子マネー（ｅｌｅｃｔｒｏｎｉｃ  ｍｏｎｅｙ，ｄｉｇｉｔａｌ  ｃａｃｈｅ，ｄｉｇｉｔａｌ  ｍｏｎｅｙ）が考えられ、利用されている。
【０００８】
また、下記の非特許文献１には、装置に接続または内蔵される電子マネーインタフェースの一例としての、ＵＳＢ（Ｕｎｉｖｅｒｓａｌ  Ｓｅｒｉａｌ  Ｂｕｓ）によりＰＣ（Ｐｅｒｓｏｎａｌ  Ｃｏｍｐｕｔｅｒ）に接続するＦｅｌｉＣａ（登録商標）インタフェースの一例であるＰａＳｏＲｉ（登録商標）が示されている。
【０００９】
さらに、下記の非特許文献２には、ＦｅｌｉＣａ（登録商標）インタフェースのような電子マネーインタフェース、およびＦｅｌｉＣａ（登録商標）カードのような電子マネーカード（電子マネー媒体）が内蔵された「おさいふケータイ」が示されている。
【００１０】
また、下記の非特許文献３には、地上デジタル放送を受信することができる携帯端末、いわゆるワンセグ（ワンセグメント）ケータイが示されている。
【００１１】
上に挙げた先行技術文献は、以下の通りである。
【特許文献１】特開２００３−５８７６９号公報
【特許文献２】特開２００２−３３４２５４号公報
【特許文献３】特開２００６−３０１９１１号公報
【非特許文献１】ＵＳＢによりＰＣに接続するＦｅｌｉＣａ（登録商標）インタフェースの一例であるＰａＳｏＲｉ（登録商標）、［平成１８年１０月２５日検索］、インターネット＜ＵＲＬ：http://www.sony.co.jp/Products/felica/pcrw/＞
【非特許文献２】「おさいふケータイ」として知られる携帯端末の一例である携帯端末ＳＯ９０２ｉ（商品名）、［平成１８年１０月２５日検索］、インターネット＜ＵＲＬ：http://www.nttdocomo.co.jp/product/foma/902i/so902i/＞
【非特許文献３】「ワンセグケータイ」として知られる携帯端末の一例である携帯端末Ｐ９０１ｉＴＶ（商品名）、［平成１８年１０月２５日検索］、インターネット＜ＵＲＬ：http://www.nttdocomo.co.jp/product/concept_model/p901itv/index.html＞
【発明の開示】
【発明が解決しようとする課題】
【００１２】
しかしながら、特許文献１または特許文献２に示された方法では、ユーザは、商品情報の取得と、クーポンの発行によるクーポンの取得とを、別個に行わなければならず、不便である。
【００１３】
そこで、この発明は、ユーザが商品情報の取得とクーポンの取得とを同時に行うことができるとともに、商品販売元の商品紹介者に対するアフィリエイト・フィーの供与も簡単かつ確実に行うことができるようにしたものである。
【課題を解決するための手段】
【００１４】
この発明のコンテンツ配信方法は、
物品、コンテンツまたはサービスである商品を紹介する画像に対して、当該商品につき購入代金の割引を受けることができることを示すクーポンデータを付加して、コンテンツを配信することを特徴とする。
【００１５】
この発明のクーポン発行方法は、
物品、コンテンツまたはサービスである商品を紹介する画像に対して、当該商品につき購入代金の割引を受けることができることを示すクーポンデータが付加されて配信されたコンテンツの受信再生時に、クーポン取得操作があったとき、上記クーポンデータを記録媒体に書き込むことによってクーポンを発行することを特徴とする。
【００１６】
上記の各方法では、ユーザは、商品を紹介するＷｅｂページやオンデマンド映像などのコンテンツを受信再生し、クーポン取得操作をするだけで、商品情報を取得し、かつクーポンを取得することができる。
【００１７】
しかも、ユーザが、そのクーポンを使用して、店舗や施設で、物品を購入し、サービスを受けることにより、そのクーポン（クーポンデータ）が、クーポン一次発行者である商品販売元に回収されることによって、商品販売元の、商品紹介者であるコンテンツ配信者に対するアフィリエイト・フィーの供与も、簡単かつ確実に実行される。
【発明の効果】
【００１８】
以上のように、この発明によれば、ユーザが商品情報の取得とクーポンの取得とを同時に行うことができるとともに、商品販売元の商品紹介者に対するアフィリエイト・フィーの供与も簡単かつ確実に行うことができる。
【発明を実施するための最良の形態】
【００１９】
［１．定義］
商標法では、商品と役務を区別し、意匠法では、物品という言葉が用いられ、保険や金融などの分野では、サービスも商品とされている。また、映像、音楽、ゲームソフトなどは、コンテンツと呼ばれている。
【００２０】
そのため、この明細書では、商標法上の商品である狭義の商品、意匠法上の物品、または民法上の有体物（動産および不動産）などの有形物を、「物品」と定義し、この物品、コンテンツ、またはサービスで、消費者（ユーザ）が購入可能なものを、「商品」と定義する。
【００２１】
電子マネーは、電子的なデータ、具体的には暗号化されたデータによって、ある金額が存在することを示したものである。データという意味では、特に電子マネーデータと称する。
【００２２】
電子マネーカードなどの電子マネー媒体は、そのデータの書き込み読み出しによって電子マネーの書き込み読み出しが可能な、上記のＦｅｌｉＣａ（登録商標）カードなどの記録媒体である。
【００２３】
電子マネーインタフェースは、各種の装置や端末に接続または内蔵され、電子マネーカードなどの電子マネー媒体が、かざされるなど、所定の状態に置かれたとき、電子マネー媒体を認識して、出金として電子マネー金額（残額）を減額し、または入金として電子マネー金額（残額）を増額するための、上記のＦｅｌｉＣａ（登録商標）インタフェースなどのインタフェースである。
【００２４】
［２．システム構成：図１〜図４］
（２−１．システムの第１の例：図１）
図１に、この発明のシステムの第１の例を示す。
【００２５】
この例は、コンテンツ受信再生装置１０が、ＰＣなどの汎用的な情報処理装置で、これに上記のＰａＳｏＲｉ（登録商標）などの電子マネーインタフェース１９がＵＳＢ接続される場合である。
【００２６】
具体的に、コンテンツ受信再生装置１０は、ＣＰＵ１１を備え、そのバス１２に、コンテンツ受信再生用およびクーポン発行用のプログラムを含む各種プログラムおよび各種データが展開されるメインメモリ１３、および半導体メモリやハードディスクなどからなる記憶装置部１４が接続される。記憶装置部１４には、各種プログラムおよび各種データが記録される。
【００２７】
さらに、バス１２には、インターネット１に接続するための外部ネットワークインタフェース１５、およびＵＳＢインタフェース１８が接続され、コンテンツ受信再生装置１０の外部において、ＵＳＢインタフェース１８に電子マネーインタフェース１９が接続される。
【００２８】
バス１２には、さらに、映像処理部１６を介してディスプレイ２１が接続されるとともに、音声処理部１７を介して音声出力部２２が接続される。音声出力部２２は、スピーカやヘッドホンである。
【００２９】
システムとしては、以上のようなユーザ側の装置のほかに、インターネット１上に、コンテンツ配信用サーバ３およびクーポン発行用サーバ４が接続される。
【００３０】
コンテンツ配信用サーバ３は、この例では、コンテンツとして、Ｂｌｏｇサイトの画像などを配信するものであり、クーポン発行用サーバ４は、商品販売元が、クーポン一次発行者として、クーポンを発行するものである。
【００３１】
この例のシステムでは、後述のように、ユーザが、コンテンツ受信再生装置１０で、Ｂｌｏｇサイトの画像などのコンテンツを受信視聴し、当該コンテンツで紹介されている商品につき発行されているクーポンを取得する操作をしたとき、ＦｅｌｉＣａ（登録商標）カードなどの電子マネーカード９にクーポンデータが書き込まれることによって、ユーザに対してクーポンが発行される。
【００３２】
（２−２．システムの第２の例：図２）
図２に、この発明のシステムの第２の例を示す。
【００３３】
この例は、コンテンツ受信再生装置１０が、ＦｅｌｉＣａ（登録商標）インタフェースなどの電子マネーインタフェース１９を内蔵したＩＰＴＶ（Ｉｎｔｅｒｎｅｔ  Ｐｒｏｔｏｃｏｌ  Ｔｅｌｅｖｉｓｉｏｎ）受信機などである場合である。
【００３４】
具体的に、コンテンツ受信再生装置１０の内部において、バス１２に電子マネーインタフェース１９が接続される。コンテンツ受信再生装置１０の他の点は、図１の例と同じである。
【００３５】
コンテンツ配信用サーバ３は、この例では、コンテンツとして、ＩＰＴＶのオンデマンド画像などを配信するものであり、クーポン発行用サーバ４は、図１の例と同じく、商品販売元が、クーポン一次発行者として、クーポンを発行するものである。
【００３６】
この例のシステムでも、後述のように、ユーザが、コンテンツ受信再生装置１０で、ＩＰＴＶのオンデマンド画像などのコンテンツを受信視聴し、当該コンテンツで紹介されている商品につき発行されているクーポンを取得する操作をしたとき、ＦｅｌｉＣａ（登録商標）カードなどの電子マネーカード９にクーポンデータが書き込まれることによって、ユーザに対してクーポンが発行される。
【００３７】
（２−３．システムの第３の例：図３）
図３に、この発明のシステムの第３の例を示す。
【００３８】
この例では、コンテンツ受信再生およびクーポン取得使用のためのユーザ側の装置として、コンテンツ受信再生装置１０および通信端末３０が用意される。
【００３９】
コンテンツ受信再生装置１０は、図１および図２の例と同様に、インターネット１に接続して、コンテンツを受信再生する機能を有するとともに、図１の例のように外部に電子マネーインタフェースが接続される、または図２の例のように電子マネーインタフェースが内蔵されたものである。
【００４０】
通信端末３０は、この例では、おさいふケータイで、ＣＰＵ３１を備え、そのバス３２に、無線通信インタフェース３４、およびＦｅｌｉＣａ（登録商標）インタフェースなどの電子マネーインタフェース１９が接続され、電子マネーインタフェース１９に、ＦｅｌｉＣａ（登録商標）カードなどの電子マネーカード９が接続される。無線通信インタフェース３４には、アンテナ３５が接続される。通信端末３０は、そのほか、携帯電話端末ないし携帯無線端末としての機能を備える。
【００４１】
コンテンツ配信用サーバ３は、この例では、コンテンツとして、Ｗｅｂサイトの画像などを配信するものであり、クーポン発行用サーバ４は、図１および図２の例と同じく、商品販売元が、クーポン一次発行者として、クーポンを発行するものである。
【００４２】
この例のシステムでは、後述のように、ユーザが、電子マネーカード９を内蔵する通信端末３０を、コンテンツ受信再生装置１０の外部に接続された、またはコンテンツ受信再生装置１０に内蔵された電子マネーインタフェースにかざして、コンテンツ受信再生装置１０で、Ｗｅｂサイトの画像などのコンテンツを受信視聴し、当該コンテンツで紹介されている商品につき発行されているクーポンを取得する操作をしたとき、通信端末３０内の電子マネーカード９にクーポンデータが書き込まれることによって、ユーザに対してクーポンが発行される。
【００４３】
（２−４．システムの第４の例：図４）
図４に、この発明のシステムの第４の例を示す。
【００４４】
この例は、コンテンツ受信再生装置が、ワンセグケータイであり、かつ、おさいふケータイである場合である。
【００４５】
具体的に、この例のコンテンツ受信再生装置４０は、ＣＰＵ４１を備え、そのバス４２に、ワンセグチューナ４３、無線通信インタフェース４４、およびＦｅｌｉＣａ（登録商標）インタフェースなどの電子マネーインタフェース１９が接続され、電子マネーインタフェース１９に、ＦｅｌｉＣａ（登録商標）カードなどの電子マネーカード９が接続される。無線通信インタフェース４４には、アンテナ４５が接続される。コンテンツ受信再生装置４０は、そのほか、携帯電話端末ないし携帯無線端末としての機能を備える。
【００４６】
コンテンツ配信用サーバ３は、この例では、コンテンツとして、地上デジタル放送の番組などを配信するものであり、クーポン発行用サーバ４は、図１〜図３の例と同じく、商品販売元が、クーポン一次発行者として、クーポンを発行するものである。
【００４７】
この例のシステムでも、後述のように、ユーザが、コンテンツ受信再生装置４０で、地上デジタル放送の番組などのコンテンツを受信視聴し、当該コンテンツで紹介されている商品につき発行されているクーポンを取得する操作をしたとき、コンテンツ受信再生装置４０内の電子マネーカード９にクーポンデータが書き込まれることによって、ユーザに対してクーポンが発行される。
【００４８】
［３．コンテンツの配信とクーポンの発行：図５〜図８］
（３−１．コンテンツ配信およびクーポンデータ：図５および図６）
図１の例のシステムでは、コンテンツ配信用サーバ３のオーナーは、コンテンツ配信用サーバ３から配信するＢｌｏｇサイト画像などのコンテンツ画像で、商品を紹介する。
【００４９】
図５に、その一例を示す。この例は、Ｂｌｏｇサイト画像５１で、商品として、ある物品、あるコンテンツ、および、あるサービスが紹介される場合である。
【００５０】
さらに、Ｂｌｏｇサイト画像５１上には、それぞれの商品に対応づけて、商品販売元（クーポン一次発行者）からクーポンが発行されていることを示すアイコン５２ａ，５２ｂおよび５２ｃを表示するとともに、コンテンツ配信用サーバ３からは、それぞれのアイコン５２ａ，５２ｂおよび５２ｃに対応する、すなわち、それぞれの商品に対応するクーポンデータを送信する。
【００５１】
図６に、クーポンデータの一例を示す。この例では、クーポンデータは、クーポン一次発行者ＩＤ、クーポン二次発行者ＩＤ、対象商品ＩＤ、クーポンＩＤ、有効期間、および割引額または割引率からなるものとする。
【００５２】
クーポン一次発行者ＩＤは、当該商品の販売元（メーカーや販売業者）を特定する識別情報であり、クーポン二次発行者ＩＤは、当該コンテンツを配信する者を特定する識別情報であり、対象商品ＩＤは、当該商品を特定する識別情報であり、クーポンＩＤは、当該クーポンを特定する識別情報であり、有効期間は、当該クーポンが有効な期間を、「２００７年３月３１日まで」などというように示すものであり、割引額または割引率は、「１００円割引」または「１０％割引」などというように割引額または割引率を示すものである。
【００５３】
ただし、割引額または割引率は、不定とし、ユーザが当該クーポンを取得した時期、当該商品を購入する時期、または当該商品の購入数量などに応じて、変更するようにしてもよい。
【００５４】
クーポン入手が先着１００名までのユーザは１００円割引、それ以降のユーザは５０割引とし、または、クーポン使用による商品購入が先着１００名までのユーザは１００円割引、それ以降のユーザは５０割引とする、などである。
【００５５】
クーポン一次発行者ＩＤおよびクーポン二次発行者ＩＤは、ユーザが当該クーポンを使用して当該商品を購入したとき、クーポン一次発行者ＩＤで示される商品販売元がクーポン二次発行者ＩＤで示されるコンテンツ配信者（商品紹介者）にアフィリエイト・フィーを供与する際に用いられる。
【００５６】
すなわち、クーポン発行元である商品販売元と、ユーザに対して直接、クーポンを発行するコンテンツ配信者（商品紹介者）との間では、アフィリエイト・フィー供与契約が締結されているものである。
【００５７】
図２〜図４の例のシステムでも、同様に、コンテンツ配信用サーバ３から、商品を紹介するコンテンツが配信されるとともに、クーポンデータが送信され、コンテンツ受信再生装置１０または４０では、そのコンテンツが受信再生され、クーポンデータが受信される。
【００５８】
（３−２．クーポンの発行および取得：図７および図８）
ユーザは、クーポンを使用して、ある商品を購入しようとする場合、その商品に対応するアイコンを選択する。
【００５９】
すなわち、図５の例で、Ａ社が製造販売している物品を購入するときには、アイコン５２ａを選択し、Ｂ社が制作販売しているコンテンツを購入するときには、アイコン５２ｂを選択し、Ｃ社が販売している（有償で提供する）サービスを受けるときには、アイコン５２ｃを選択する。
【００６０】
同時に、ユーザは、図１または図２の例のシステムでは、コンテンツ受信再生装置１０に接続または内蔵されている電子マネーインタフェース１９に電子マネーカード９をかざし、図３の例のシステムでは、電子マネーカード９が内蔵されている通信端末３０をコンテンツ受信再生装置１０に接続または内蔵されている電子マネーインタフェースにかざす。図４の例のシステムでは、電子マネーカード９がコンテンツ受信再生装置４０に内蔵されているので、電子マネーカードをかざす必要はない。
【００６１】
ユーザがアイコンを選択すると、図１〜図３の例のシステムでは、コンテンツ受信再生装置１０のＣＰＵ１１は、図７に示すように、選択されたアイコンに対応するクーポンデータを電子マネーカード９に書き込み、図４の例のシステムでは、コンテンツ受信再生装置４０のＣＰＵ４１は、図７に示すように、選択されたアイコンに対応するクーポンデータを電子マネーカード９に書き込む。
【００６２】
このとき、ＣＰＵ１１または４１が、クーポンデータを電子マネーカード９に書き込む日時を、ユーザが当該クーポンを取得した時期として元のクーポンデータに付加して、クーポンデータを電子マネーカード９に書き込むように構成することによって、上記のようにユーザが当該クーポンを取得した時期に応じて割引額または割引率を変更する場合に対応させることができる。
【００６３】
図８に、図１〜図４の例のシステムで、このようにユーザがクーポンを取得する場合に、コンテンツ受信再生装置１０のＣＰＵ１１またはコンテンツ受信再生装置４０のＣＰＵ４１が実行する一連の処理の一例を示す。
【００６４】
この例では、コンテンツ配信用サーバ３から配信されたコンテンツを受信再生している状態で、一連の処理を開始して、まずステップ６１で、受信を終了するか否かを判断し、ユーザの終了操作などによって受信を終了するときには、一連の処理を終了するが、そうでなければ、ステップ６２に進んで、ユーザのクーポン取得操作があったか否かを判断する。
【００６５】
そして、ユーザのクーポン取得操作がなければ、ステップ６２からステップ６１に戻るが、上記のアイコン選択のようなクーポン取得操作があったときには、ステップ６２からステップ６３に進んで、上記のように電子マネーカード９にクーポンデータを書き込み、すなわち電子マネーカード９にクーポンを発行し、さらにステップ６４に進んで、クーポンを発行したことを、文字や画像によって表示し、または擬音などの音声によってユーザに告げて、ステップ６１に戻る。
【００６６】
［４．クーポンの使用およびアフィリエイト・フィーの供与：図９〜図１４］
（４−１．クーポンの使用による商品の購入：図９〜図１２）
上記のように電子マネーカード９へのクーポンデータの書き込みによってクーポンを取得したユーザが、当該クーポンを使用して、店舗で物品を購入し、施設でサービスを受けるなど、商品を購入するときには、店舗や施設の受付などに設けられた電子マネー対応端末の電子マネーインタフェースに、クーポンデータが書き込まれている電子マネーカード９をかざす。
【００６７】
図９に、その電子マネー対応端末の一例を示す。この例の電子マネー対応端末７０は、ＣＰＵ７１を備え、そのバス７２に、メインメモリ７３、記憶装置部７４および電子マネーインタフェース７９などが接続される。
【００６８】
図１０に、店舗や施設などの商品提供者が商品購入代金を割引く場合に、電子マネー対応端末７０のＣＰＵ７１が実行する一連の処理の一例を示す。
【００６９】
この例では、ＣＰＵ７１は、まずステップ８１で、電子マネーインタフェース７９を介して電子マネーカード９を認識し、次にステップ８２で、電子マネーカード９からクーポンデータを読み込み、次にステップ８３で、該当するか否かを判断する。
【００７０】
そして、図７のように電子マネーカード９にクーポンデータが書き込まれていて、かつ、そのクーポンデータの図６に示すような各内容が所期のものであるときには、ステップ８３からステップ８４に進んで、割引処理として、当該のクーポンデータを電子マネー対応端末７０の記憶装置部７４に書き込むとともに、当該のクーポンデータを電子マネーカード９から消去し、または電子マネーカード９に書き込まれている当該のクーポンデータに対して使用済であることを示す処理を施す。
【００７１】
上記のようにユーザのクーポン取得時期、商品購入時期または商品購入数量などに応じて割引額または割引率を変更する場合には、ステップ８４での割引処理で、対応する処理を実行する。
【００７２】
この場合、具体的な割引額または割引率が不明なときは、電子マネー対応端末７０は、クーポンデータをもとに、商品販売元（クーポン一次発行者）のクーポン発行用サーバ４に問い合わせる。
【００７３】
次に、ＣＰＵ７１は、ステップ８５で、文字や画像の表示、または擬音などの音声の出力によって、割引をしたことを告知する。
【００７４】
一方、電子マネーカード９にクーポンデータが書き込まれていないとき、または、クーポンデータが書き込まれていても、その内容が所期のものでないときには、ステップ８３からステップ８６に進んで、文字や画像の表示、または擬音などの音声の出力によって、該当しない旨を告知する。
【００７５】
購入代金が割引かれる場合、ユーザは、図１１に示すように、電子マネーカード９に電子マネーデータとして書き込まれている電子マネーで残額を支払い、または図１２に示すように、通貨（通用の紙幣または貨幣）で残額を支払い、あるいは図では省略したが、クレジットカードで残額を支払うことができる。
【００７６】
残額を電子マネーで支払う場合には、図１０のステップ８４で、割引処理と同時に残額の支払領収処理を行うことができ、ユーザにとっても、商品提供者にとっても、便利である。
【００７７】
なお、商品がインターネット１上で配信される映像や音楽などのコンテンツである場合には、電子マネーカード９へのクーポンデータの書き込みによってクーポンを取得したユーザが、コンテンツ受信再生装置１０または４０で、商品販売元（コンテンツ配信元）のサーバに接続して、当該商品（コンテンツ）の購入を申し込み、これを受けて商品販売元（コンテンツ配信元）のサーバが、コンテンツ受信再生装置１０または４０にクーポンの提示と残額の支払を要求し、これを受けてコンテンツ受信再生装置１０または４０が、電子マネーカード９からクーポンデータを読み出し、商品販売元（コンテンツ配信元）のサーバに送信するとともに、電子マネーまたはクレジットカードによる残額の支払処理を実行し、これを受けて商品販売元（コンテンツ配信元）のサーバが、当該商品としての当該コンテンツをコンテンツ受信再生装置１０または４０に送信するように、システムを構成することができる。
【００７８】
（４−２．クーポンの回収とアフィリエイト・フィーの供与：図１３および図１４）
図１３に示すように、クーポン一次発行者である商品販売元は、上記のように電子マネー対応端末７０でユーザからクーポン（クーポンデータ）を領収し、代金を割引いた店舗などの商品提供者から、そのクーポン（クーポンデータ）を回収する。
【００７９】
このとき、商品販売元は、商品提供者に割引分の金額を支払い、または次回に商品提供者に商品を卸す際の代金を割引くなどの処理をする。また、このとき、早い時期に商品販売元にクーポンを送った商品提供者に対しては、何らかの報奨を与えるようにしてもよい。
【００８０】
さらに、図１４に示すように、クーポンを回収した商品販売元（クーポン一次発行者）は、商品紹介者（コンテンツ配信者、クーポン二次発行者）に対して、すなわち、図５の例ではＢｌｏｇサイトのオーナーに対して、アフィリエイト・フィーを供与する。
【００８１】
回収されたクーポン（クーポンデータ）には、クーポン一次発行者ＩＤおよびクーポン二次発行者ＩＤが含まれているので、この商品販売元から商品紹介者へのアフィリエイト・フィーの供与は、簡単かつ確実に行うことができ、アフィリエイト・フィーの供与が電子マネーまたはクレジットカードによる金銭の支払である場合にはインターネット１上で行うことができる。
【００８２】
［５．他の実施形態］
上述した実施形態は、電子マネーカード９にクーポンデータが書き込まれる場合であるが、クーポンデータが書き込まれる記録媒体としては、電子マネー媒体以外の記録媒体を用いることもできる。
【図面の簡単な説明】
【００８３】
【図１】この発明のシステムの第１の例を示す図である。
【図２】この発明のシステムの第２の例を示す図である。
【図３】この発明のシステムの第３の例を示す図である。
【図４】この発明のシステムの第４の例を示す図である。
【図５】商品を紹介するコンテンツ画像の一例を示す図である。
【図６】クーポンデータの一例を示す図である。
【図７】電子マネーカードに電子マネーデータおよびクーポンデータが書き込まれている状態を示す図である。
【図８】ユーザに対するクーポン発行の一連の処理の一例を示す図である。
【図９】電子マネー対応端末の一例を示す図である。
【図１０】クーポン使用時の一連の処理の一例を示す図である。
【図１１】クーポン使用時の残額支払方法の一例を示す図である。
【図１２】クーポン使用時の残額支払方法の一例を示す図である。
【図１３】使用されたクーポンが商品販売元に回収されることを示す図である。
【図１４】商品販売元から商品紹介者にアフィリエイト・フィーが供与されることを示す図である。
【符号の説明】
【００８４】
主要部については図中に全て記述したので、ここでは省略する。
【図１】
2008146468.tif 000003
【図２】
2008146468.tif 000004
【図３】
2008146468.tif 000005
【図４】
2008146468.tif 000006
【図５】
2008146468.tif 000007
【図６】
2008146468.tif 000008
【図７】
2008146468.tif 000009
【図８】
2008146468.tif 000010
【図９】
2008146468.tif 000011
【図１０】
2008146468.tif 000012
【図１１】
2008146468.tif 000013
【図１２】
2008146468.tif 000014
【図１３】
2008146468.tif 000015
【図１４】
2008146468.tif 000016